(57)【要約】【課題】  通信端末装置の障害内容を示す障害コードを自動的にセンタ装置に通知し、センタ装置から障害が発生した装置のユーザに自動的に呼び出すことができる。【解決手段】  センタ装置４０は、ディジタル複合装置２０の機器情報と、それに対応するアドレス情報とを含む顧客情報管理テーブル１０８ｂを記憶するハードディスクドライブ１０８を備える。センタ装置４０は、ディジタル複合装置２０からのその機器情報を含む障害通知信号に応答して、顧客情報管理テーブル１０８ｂを参照して、ディジタル複合装置２０に対して呼び出し指示信号をインターネット９０を介して自動的に送信する。これに応答して、ディジタル複合装置２０は、上記呼び出し指示信号に応答して、図４の操作部５の呼び出しキー５ａを点灯し又はブザー鳴動させて、ユーザに対して当該呼び出しを報知する。【選択図】  図５
2006332887.tif 000002
【特許請求の範囲】
【請求項１】
通信端末装置と、上記通信端末装置と所定の通信回線を介して接続され、上記通信端末装置の障害を管理するセンタ装置とを備えたリモートメンテナンスシステムにおいて、
上記センタ装置は、通信端末装置の機器情報と、顧客情報管理テーブルとを記憶する記憶手段を備え、
上記センタ装置は、上記通信端末装置からのその機器情報を含む障害通知信号に応答して、上記顧客情報管理テーブルを参照して、上記通信端末装置に対して呼び出し指示信号を上記通信回線を介して自動的に送信し、
上記通信端末装置は、上記呼び出し指示信号に応答して、ユーザに対して当該呼び出しを報知することを特徴とするリモートメンテナンスシステム。
【請求項２】
上記通信端末装置は、ユーザに対して上記呼び出しを報知した後、ユーザの指示に基づいて、センタ呼び出し信号を上記通信回線を介して自動的に送信することを特徴とする請求項１記載のリモートメンテナンスシステム。
【請求項３】
上記センタ装置は、上記通信端末装置からの機器情報を含むセンタ呼び出し信号に応答して、上記顧客情報管理テーブルを参照して、所定の電話番号に対して上記通信回線を介して自動的に発呼して、上記センタ装置と上記通信端末装置との間を通話可能な状態とすることを特徴とする請求項２記載のリモートメンテナンスシステム。
【請求項４】
通信端末装置と、上記通信端末装置と所定の通信回線を介して接続され、上記通信端末装置の障害を管理するセンタ装置とを備えたリモートメンテナンスシステムのためのセンタ装置において、
上記センタ装置は、通信端末装置の機器情報と、顧客情報管理テーブルとを記憶する記憶手段を備え、
上記センタ装置は、上記通信端末装置からのその機器情報を含む障害通知信号に応答して、上記顧客情報管理テーブルを参照して、上記通信端末装置に対して呼び出し指示信号を上記通信回線を介して自動的に送信することを特徴とするセンタ装置。
【請求項５】
上記センタ装置は、上記通信端末装置からの機器情報を含むセンタ呼び出し信号に応答して、上記顧客情報管理テーブルを参照して、所定の電話番号に対して上記通信回線を介して自動的に発呼して、上記センタ装置と上記通信端末装置との間を通話可能な状態とすることを特徴とする請求項４記載のセンタ装置。
【請求項６】
通信端末装置と、上記通信端末装置と所定の通信回線を介して接続され、上記通信端末装置の障害を管理するセンタ装置とを備えたリモートメンテナンスシステムのための通信端末装置において、
上記通信端末装置は、上記センタ装置からの呼び出し指示信号に応答して、ユーザに対して当該呼び出しを報知した後、ユーザの指示に基づいて、センタ呼び出し信号を上記通信回線を介して自動的に送信することを特徴とする通信端末装置。
【発明の詳細な説明】
【技術分野】
【０００１】
本発明は、例えば、ディジタル複合装置やファクシミリ装置などの通信端末装置と、その障害などを遠隔で管理するセンタ装置を備えたリモートメンテナンスシステムと、上記通信端末装置と、センタ装置に関する。
【背景技術】
【０００２】
従来から、家庭やオフィス、工場等に設置した各種の電子機器や装置の稼働状況を遠隔地にて監視し、異常が発生した場合などにおいて対象装置のメンテナンスを実施するようなリモートメンテナンスシステムが実用化されている。このようなリモートメンテナンスシステムでは、具体的には、電話回線を介してリモート診断を行い、サービスセンタから端末装置に格納されたデータの読み出し処理や、端末装置へのデータの書き込み処理を遠隔制御することが行われている。
【０００３】
例えば、特許文献１において、「正確な情報をより早く送ることができ、障害時の迅速な対応が可能なネットワーク印刷装置を提供するために、印刷装置は、ＰＣやメイルサーバと、ネットワークで接続されている。リモート診断処理部は、印刷が正常に出来ない場合、リモート診断要求により、送信先アドレスの取得とセット及び動作環境の各種情報の取得とセットを行い、メールサーバに電子メールの送信要求を出す」ことが開示されている。
【０００４】
【特許文献１】特開平１１−３０５９７８号公報。
【発明の開示】
【発明が解決しようとする課題】
【０００５】
しかしながら、公衆電話網ではユーザからの発信では通信料金がユーザ側に課金されてしまうという問題点と、公衆電話網では低速データ通信しかできず、大量のデータ通信には向かないという問題点があった。
【０００６】
本発明の目的は以上の問題点を解決し、リモートメンテナンスシステムにおいて、ファクシミリ装置やディジタル複合装置などの通信端末装置を例えばインターネットを介してセンタ装置に接続し、障害内容を示す障害コードを自動的にセンタ装置に通知し、センタ装置から障害が発生した通信端末装置のユーザに対して自動的に呼び出すことができるリモートメンテナンスシステムと、上記通信端末装置と、上記センタ装置とを提供することにある。
【課題を解決するための手段】
【０００７】
第１の発明に係るリモートメンテナンスシステムは、通信端末装置と、上記通信端末装置と所定の通信回線を介して接続され、上記通信端末装置の障害を管理するセンタ装置とを備えたリモートメンテナンスシステムにおいて、
上記センタ装置は、通信端末装置の機器情報と、顧客情報管理テーブルとを記憶する記憶手段を備え、
上記センタ装置は、上記通信端末装置からのその機器情報を含む障害通知信号に応答して、上記顧客情報管理テーブルを参照して、上記通信端末装置に対して呼び出し指示信号を上記通信回線を介して自動的に送信し、
上記通信端末装置は、上記呼び出し指示信号に応答して、ユーザに対して当該呼び出しを報知することを特徴とする。
【０００８】
上記リモートメンテナンスシステムにおいて、上記通信端末装置は、ユーザに対して上記呼び出しを報知した後、ユーザの指示に基づいて、センタ呼び出し信号を上記通信回線を介して自動的に送信することを特徴とする。
【０００９】
また、上記リモートメンテナンスシステムにおいて、上記センタ装置は、上記通信端末装置からの機器情報を含むセンタ呼び出し信号に応答して、上記顧客情報管理テーブルを参照して、所定の電話番号に対して上記通信回線を介して自動的に発呼して、上記センタ装置と上記通信端末装置との間を通話可能な状態とすることを特徴とする。
【００１０】
第２の発明に係るセンタ装置は、通信端末装置と、上記通信端末装置と所定の通信回線を介して接続され、上記通信端末装置の障害を管理するセンタ装置とを備えたリモートメンテナンスシステムのためのセンタ装置において、
上記センタ装置は、通信端末装置の機器情報と、顧客情報管理テーブルとを記憶する記憶手段を備え、
上記センタ装置は、上記通信端末装置からのその機器情報を含む障害通知信号に応答して、上記顧客情報管理テーブルを参照して、上記通信端末装置に対して呼び出し指示信号を上記通信回線を介して自動的に送信することを特徴とする。
【００１１】
上記センタ装置において、上記センタ装置は、上記通信端末装置からの機器情報を含むセンタ呼び出し信号に応答して、所定の電話番号に対して上記通信回線を介して自動的に発呼して、上記センタ装置と上記通信端末装置との間を通話可能な状態とすることを特徴とする。
【００１２】
第３の発明に係る通信端末装置は、通信端末装置と、上記通信端末装置と所定の通信回線を介して接続され、上記通信端末装置の障害を管理するセンタ装置とを備えたリモートメンテナンスシステムのための通信端末装置において、
上記通信端末装置は、上記センタ装置からの呼び出し指示信号に応答して、ユーザに対して当該呼び出しを報知した後、ユーザの指示に基づいて、センタ呼び出し信号を上記通信回線を介して自動的に送信することを特徴とする。
【発明の効果】
【００１３】
従って、本発明に係るリモートメンテナンスシステムによれば、上記センタ装置は、上記通信端末装置からのその機器情報を含む障害通知信号に応答して、上記顧客情報管理テーブルを参照して、上記通信端末装置に対して呼び出し指示信号を上記通信回線を介して自動的に送信し、上記通信端末装置は、上記呼び出し指示信号に応答して、ユーザに対して当該呼び出しを報知する。それ故、センタ装置から、障害が発生した通信端末装置のユーザに対して自動的に呼び出すことができる。
【００１４】
次いで、上記通信端末装置は、ユーザに対して上記呼び出しを報知した後、ユーザの指示に基づいて、センタ呼び出し信号を上記通信回線を介して自動的に送信する。それ故、センタ装置から通信端末装置のユーザへの呼び出しに対してユーザの指示に基づいて、センタ装置のオペレータを自動的に呼び出すことができる。
【００１５】
次いで、上記センタ装置は、上記通信端末装置からの機器情報を含むセンタ呼び出し信号に応答して、上記顧客情報管理テーブルを参照して、上記通信端末装置に対して上記通信回線を介して自動的に発呼して、上記センタ装置と上記通信端末装置との間を通話可能な状態とする。それ故、センタ装置のオペレータと、通信端末装置のユーザとの間で、例えばインターネットなどの通信回線を介して障害に関する通話を行うことができる。
【発明を実施するための最良の形態】
【００１６】
以下、本発明に係る実施形態について図面を参照して説明する。なお、以下の実施形態において、同様の構成要素については同一の符号を付している。
【００１７】
図１は、本発明に係る実施形態である、コピー、プリンタ及びスキャナー機能付きのファクシミリ装置であるディジタル複合装置２０を備えたローカルエリアネットワークシステム（以下、ローカルエリアネットワークをＬＡＮという。）、並びに、ディジタル複合装置２０がインターネット９０を介してセンタ装置４０に接続されたリモートメンテナンスシステムの構成を示すブロック図である。
【００１８】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナー及びファクシミリの各機能を共通に利用することができるように構成されている。
【００１９】
この実施形態に係る通信端末装置であるディジタル複合装置２０は、例えば、公衆電話網８０を介して別のディジタル複合装置２０Ａとファクシミリ通信するとともに、ＬＡＮ７０、ルータ装置６０及びインターネット９０を介して、ディジタル複合装置２０を遠隔制御するセンタ装置４０に接続される。
【００２０】
本実施形態に係るリモートメンテナンスシステムは、通信端末装置であるディジタル複合装置２０と、ディジタル複合装置２０とインターネット９０を介して接続され、ディジタル複合装置２０の障害を管理するセンタ装置４０とを備える。ここで、センタ装置４０は、ディジタル複合装置２０の機器情報（例えば、機器シリアル番号など）と、それに対応するアドレス情報（例えば、グローバルＩＰアドレス又はＳＩＰ通信のための電話番号など）とを含む顧客情報管理テーブル１０８ｂを記憶するハードディスクドライブ１０８を備える。センタ装置４０は、ディジタル複合装置２０からのその機器情報を含む障害通知信号に応答して、顧客情報管理テーブル１０８ｂを参照して、上記機器情報に対応するアドレス情報を検索し、検索されたアドレス情報を有するディジタル複合装置２０に対して呼び出し指示信号をインターネット９０を介して自動的に送信する。これに応答して、ディジタル複合装置２０は、上記呼び出し指示信号に応答して、図４の操作部５の呼び出しキー５ａを点灯し及び／又はブザー鳴動させて、ユーザに対して当該呼び出しを報知することを特徴としている。なお、センタ装置４０が応答するときは、アドレス情報を検索しなくてもよく、例えば、ディジタル複合装置２０から通知されたアドレス情報に対して発信し、もしくは、通常の公衆網の電話番号に対して発信してもよい。
【００２１】
また、ディジタル複合装置２０は、ユーザに対して上記呼び出しを報知した後、例えば操作部４の呼び出しキー５ａを押下することによるユーザの指示に基づいて、センタ呼び出し信号をインターネット９０を介して自動的に送信する。さらに、センタ装置４０は、ディジタル複合装置２０からの機器情報を含むセンタ呼び出し信号に応答して、顧客情報管理テーブル１０８ｂを参照して、上記機器情報に対応するアドレス情報を検索し、検索されたアドレス情報を有するディジタル複合装置２０に対してインターネット９０を介して自動的に発呼して、センタ装置４０とディジタル複合装置２０との間を、例えばＳＩＰ手順により通話可能な状態とし、ディジタル複合装置２０のユーザは、センタ装置４０のオペレータと、障害について通話することができる。なお、センタ装置４０から発呼して通話状態にする場合は、アドレス情報を検索しなくてもよく、例えば、ディジタル複合装置２０から通知されたアドレス情報に対して発信し、もしくは、通常の公衆網の電話番号に対して発信してもよい。
【００２２】
図１のクライアントパーソナルコンピュータ３０は、公知のパーソナルコンピュータである外部端末装置であって、画像データや文字データの生成や記録、格納などの処理を実行する。本実施形態においては、クライアントパーソナルコンピュータ３０は、一例として、スキャナーにより走査された画像データを受信する外部端末装置や、クライアントパーソナルコンピュータ３０で生成された原稿画像の画像データ（例えば、ワードプロセッサのソフトウェアで作成された原稿の画像データをいう。）をディジタル複合装置２０を介して相手先のファクシミリ装置又はディジタル複合装置などの受信側通信端末装置にファクシミリ送信する情報処理装置として用いられる。
【００２３】
図２は、図１のディジタル複合装置２０の構成を示すブロック図である。
【００２４】
図２において、ディジタル複合装置２０は、従来のＧ３方式等のファクシミリ通信機能に加えて、コピー、プリンタ、及びスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００２５】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。ここで、操作部５は、図４に示すように、その左側に表示部４であるＬＣＤ部５ｂが設けられ、その右側に呼び出しキー５ａが設けられる。当該呼び出しキー５ａはオン・オフスイッチとともに、ユーザを呼び出すためのＬＥＤを備え、センタ装置４０からの呼び出し点灯指示信号に応答して呼び出しキー５ａのＬＥＤを点灯させる。なお、上述の表示部４をタッチパネル方式とすることにより、この操作部５の各種キーの内の一部又は全部を代用するように構成してもよい。
【００２６】
ＲＯＭ６は、当該ディジタル複合装置２０の動作に必要であって主制御部１によって実行される種々のソフトウェアのプログラムを予め格納し、本実施形態では、少なくとも、図５の障害検出処理のプログラムを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。ここで、ＲＡＭ７は、ディジタル複合装置２０の機器型番及び番号などの機器情報を含む機器情報テーブル７ａを含む。なお、ＲＡＭ７としてフラッシュメモリを使用した場合には、停電、装置の移動等のために電源が遮断された場合にもそのデータの内容が失われない。
【００２７】
画像メモリ８はＤＲＡＭ等で構成され、送信すべき画像データ又は受信した画像データ、もしくは走査されて変換された画像データを記憶する。ここで、画像メモリ８は、複数のクライアントパーソナルコンピュータ３０又はそのユーザに対応した複数のメモリボックスに区分されたメモリボックス領域８ａを備える。各クライアントパーソナルコンピュータ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２８】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００２９】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。本実施形態では、ＬＡＮインターフェース１２からＬＡＮ７０、ルータ装置６０及びインターネット９０を介してセンタ装置４０に接続され、ディジタル複合装置２０はセンタ装置４０に対して障害通知信号やセンタ呼び出し信号を送信する一方、センタ装置４０からの遠隔制御のための呼び出しキー点灯指示信号をインターネット９０を介して受信する。
【００３０】
以上のように構成されたディジタル複合装置２０のファクシミリ通信機能において、各クライアントパーソナルコンピュータ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置である例えばディジタル複合装置２０Ａに送信される一方、逆に相手先のファクシミリ装置であるディジタル複合装置２０Ａから受信した符号化データもソフトウェアにより画像データに復号化された後、画像メモリ８に格納され、必要に応じて画像記録部３でプリントされる。
【００３１】
図３は図１のセンタ装置４０の構成を示すブロック図である。ここで、センタ装置４０は例えばパーソナルコンピュータで構成される。
【００３２】
図３において、主制御部１０１は具体的にはＣＰＵで構成されており、バス１１３を介して以下のハードウェア各部と接続されていてそれらを制御するほか、後述する種々のソフトウェアの機能を実行する。このセンタ装置４０において、画像読取部及び画像記録部（図示せず。）はオプションで設けられる。表示部１０４は、液晶表示装置（ＬＣＤ）又はＣＲＴディスプレイ等の表示装置であり、当該センタ装置４０の動作状態を表示したり、送信すべき原稿の画像データ、及び受信した画像データの表示を行う。操作部１０５は、例えばキーボードであり、文字データや指示コマンドを入力するためのものである。
【００３３】
ＲＯＭ１０６は、当該センタ装置４０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、例えば、主制御部１０１により実行される、ディジタル複合装置２０の遠隔制御のためのソフトウェアプログラムなどを格納するプログラムメモリ領域１０８ａを含む。ここで、プログラムメモリ領域１０８ａは、少なくとも、図６の障害通知信号受信処理のプログラムと、図７のセンタ呼び出し信号受信処理のプログラムとを含む。また、ハードディスクドライブ１０８はさらに、顧客情報管理テーブル１０８ｂ及び障害コードテーブル１０８ｃを含む。顧客情報管理テーブル１０８ｂは、ディジタル複合装置２０を所有する顧客とその名称、顧客管理番号、グローバルＩＰアドレス又はＳＩＰ手順もしくは公衆網による通話のための電話番号、機器情報、呼び出しキー有効化モードが設定されているか否かの情報を、ディジタル複合装置２０の顧客毎に含む。また、障害コードテーブル１０８ｃは、ディジタル複合装置２０の障害内容毎に付与された障害コード毎に、その障害内容、原因、解析方法などを含む。
【００３４】
ここで、呼び出しキー有効化モードは、センタ装置４０がディジタル複合装置２０からの障害通知信号に応答して障害発生のディジタル複合装置２０に対して自動的に呼び出しキー点灯指示信号を送信するモードをいう。このモードの処理を実行し、ディジタル複合装置２０のユーザが呼び出しキー５ａを押下することにより、詳細後述するように、センタ装置４０のオペレータと、ディジタル複合装置２０との間で障害についての通話を行うことができる。
【００３５】
さらに、ＬＡＮインターフェース１１２は、ＬＡＮ、インターネット９０を介して図１のルータ装置６０に接続される。
【００３６】
図５は、図２のディジタル複合装置２０の主制御部１によって実行される障害検出処理を示すフローチャートである。
【００３７】
図５において、まず、ステップＳ１において障害が発生したか否かが判断され、ＹＥＳとなるまで、ステップＳ１の処理を繰り返し、ＹＥＳとなったときは、ステップＳ２において、既知のアドレス情報を有するセンタ装置４０に、機器情報と障害コードを含む障害通知信号を送信する。そして、ステップＳ３においてセンタ装置４０から呼び出しキー点灯指示信号を受信したか否かが判断され、ＹＥＳのときはステップＳ４に進む一方、ＮＯのときは当該障害検出処理を終了する。次いで、ステップＳ４において呼び出しキー５ａのＬＥＤを点灯させ（もしくは、ブザー鳴動して）ユーザを呼び出するように報知し、ステップＳ５において、ユーザがセンタ装置４０のオペレータと障害について通話を希望するときに押下する呼び出しキー５ａが押下されたか否かが判断される。ここでは、ＹＥＳとなるまでステップＳ５の処理を繰り返し、ＹＥＳとなったときに、ステップＳ６においてセンタ装置４０に機器情報を含むセンタ呼び出し信号をインターネット９０を介して送信し、当該障害検出処理を終了する。
【００３８】
図６は、図３のセンタ装置４０の主制御部１０１によって実行される障害通知信号受信処理を示すフローチャートである。
【００３９】
図６において、まず、ステップＳ１１においてディジタル複合装置２０から障害通知信号を受信したか否かが判断され、ＹＥＳとなるまでステップＳ１１の処理を繰り返し、ＹＥＳとなったときに、ステップＳ１２において受信した障害通知信号に含まれる障害コードに基づいて、障害コードテーブル１０８ｃを参照して、当該障害を解析して解析結果を表示部１０４に表示する。次いで、ステップＳ１３において、顧客情報管理テーブル１０８ｂを参照して、当該顧客の機器に対して呼び出しキー有効化モードが設定されているか否かが判断され、ＹＥＳのときはステップＳ１４に進む一方、ＮＯのときは当該障害通知信号受信処理を終了する。ステップＳ１４においては、顧客情報管理テーブル１０８ｂを参照して、機器情報に対応するアドレス情報を用いて、インターネット９０を介してディジタル複合装置２０に呼び出しキー点灯指示信号を送信し、当該障害通知信号受信処理を終了する。
【００４０】
図７は図３のセンタ装置４０の主制御部１によって実行されるセンタ呼び出し信号受信処理を示すフローチャートである。
【００４１】
図７において、まず、ステップＳ２１においてディジタル複合装置２０からセンタ呼び出し信号を受信したか否かが判断され、ＹＥＳとなるまでステップＳ２１の処理を繰り返し、ＹＥＳとなったとき、ステップＳ２２において受信したセンタ呼び出し信号に含まれる機器情報に基づいて、顧客情報管理テーブル１０８ｂ内の顧客情報を検索して検索結果を表示部１０４に表示する。次いで、ステップＳ２３において、例えばインターネット９０を介してＳＩＰ手順を用いて、検索された顧客情報のアドレス情報を用いてユーザにサービスコールするために発呼し、ステップＳ２４においてディジタル複合装置２０のユーザとの通話を行い、その後、ステップＳ２５においてディジタル複合装置２０との回線を開放し、当該センタ呼び出し信号受信処理を終了する。
【００４２】
以上説明したように、本実施形態によれば、センタ装置４０は、ディジタル複合装置２０からのその機器情報を含む障害通知信号に応答して、顧客情報管理テーブル１０８ｂを参照して、上記機器情報に対応するアドレス情報を検索し、検索されたアドレス情報を有するディジタル複合装置２０に対して呼び出し指示信号をインターネット９０を介して自動的に送信する。これに応答して、ディジタル複合装置２０は、上記呼び出し指示信号に応答して、図４の操作部５の呼び出しキー５ａを点灯し及び／又はブザー鳴動させて、ユーザに対して当該呼び出しを報知する。それ故、センタ装置４０から、障害が発生したディジタル複合装置２０のユーザに対して自動的に呼び出すことができる。
【００４３】
また、ディジタル複合装置２０は、ユーザに対して上記呼び出しを報知した後、例えば操作部４の呼び出しキー５ａを押下することによるユーザの指示に基づいて、センタ呼び出し信号をインターネット９０を介して自動的に送信する。それ故、センタ装置から通信端末装置のユーザへの呼び出しに対してユーザの指示に基づいて、センタ装置のオペレータを自動的に呼び出すことができる。
【００４４】
さらに、センタ装置４０は、ディジタル複合装置２０からの機器情報を含むセンタ呼び出し信号に応答して、顧客情報管理テーブル１０８ｂを参照して、上記機器情報に対応するアドレス情報を検索し、検索されたアドレス情報を有するディジタル複合装置２０に対してインターネット９０を介して自動的に発呼して、センタ装置４０とディジタル複合装置２０との間を、例えばＳＩＰ手順により通話可能な状態とし、ディジタル複合装置２０のユーザは、センタ装置４０のオペレータと、障害について通話することができる。
【００４５】
＜変形例＞
以上の実施形態においては、ディジタル複合装置２０の例について述べているが、本発明はこれに限らず、ファクシミリ機能を有するファクシミリ装置やファクシミリサーバ装置などに広く適用することができる。
【産業上の利用可能性】
【００４６】
以上詳述したように、本発明に係るリモートメンテナンスシステムによれば、上記センタ装置は、上記通信端末装置からのその機器情報を含む障害通知信号に応答して、上記顧客情報管理テーブルを参照して、上記通信端末装置に対して呼び出し指示信号を上記通信回線を介して自動的に送信し、上記通信端末装置は、上記呼び出し指示信号に応答して、ユーザに対して当該呼び出しを報知する。それ故、センタ装置から、障害が発生した通信端末装置のユーザに対して自動的に呼び出すことができる。
【００４７】
次いで、上記通信端末装置は、ユーザに対して上記呼び出しを報知した後、ユーザの指示に基づいて、センタ呼び出し信号を上記通信回線を介して自動的に送信する。それ故、センタ装置から通信端末装置のユーザへの呼び出しに対してユーザの指示に基づいて、センタ装置のオペレータを自動的に呼び出すことができる。
【００４８】
次いで、上記センタ装置は、上記通信端末装置からの機器情報を含むセンタ呼び出し信号に応答して、上記顧客情報管理テーブルを参照して、所定の電話番号に対して上記通信回線を介して自動的に発呼して、上記センタ装置と上記通信端末装置との間を通話可能な状態とする。それ故、センタ装置のオペレータと、通信端末装置のユーザとの間で、例えばインターネットなどの通信回線を介して障害に関する通話を行うことができる。
【図面の簡単な説明】
【００４９】
【図１】本発明に係る実施形態である、コピー、プリンタ及びスキャナー機能付きのファクシミリ装置であるディジタル複合装置２０を備えたＬＡＮシステム、並びに、ディジタル複合装置２０がインターネット９０を介してセンタ装置４０に接続されたリモートメンテナンスシステムの構成を示すブロック図である。
【図２】図１のディジタル複合装置２０の構成を示すブロック図である。
【図３】図１のセンタ装置４０の構成を示すブロック図である。
【図４】図２の操作部５の一例を示す正面図である。
【図５】図２のディジタル複合装置２０の主制御部１によって実行される障害検出処理を示すフローチャートである。
【図６】図３のセンタ装置４０の主制御部１０１によって実行される障害通知信号受信処理を示すフローチャートである。
【図７】図３のセンタ装置４０の主制御部１によって実行されるセンタ呼び出し信号受信処理を示すフローチャートである。
【符号の説明】
【００５０】
１…主制御部、
２…画像読取部、
３…画像記録部、
４…表示部、
５…操作部、
６…ＲＯＭ、
７…ＲＡＭ、
７ａ…機器情報テーブル、
８…画像メモリ、
８ａ…メモリボックス領域、
９…ハードディスクドライブ、
１０…ファックスモデム、
１１…ＮＣＵ、
１２…ＬＡＮインターフェース、
１３…バス、
２０，２０Ａ…ディジタル複合装置、
３０，３０−１乃至３０−Ｎ…クライアントパーソナルコンピュータ、
４０…センタ装置、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０６…ＲＯＭ、
１０７…ＲＡＭ、
１０８…ハードディスクドライブ、
１０８ａ…プログラムメモリ領域、
１０８ｂ…顧客情報管理テーブル、
１０８ｃ…障害コードテーブル、
１１２…ＬＡＮインターフェース、
１１３…バス。
【図１】
2006332887.tif 000003
【図２】
2006332887.tif 000004
【図３】
2006332887.tif 000005
【図４】
2006332887.tif 000006
【図５】
2006332887.tif 000007
【図６】
2006332887.tif 000008
【図７】
2006332887.tif 000009